(57)【特許請求の範囲】
【請求項１】
長方形の基板Ａと、該基板の片側端部に該基板と同一平面上に連設した円周に沿って度数目盛を表示した半円状分度盤Ｂと、該基板の他端部に該分度盤と反対方向に直角に連設した支持脚Ｃとから構成されるパチンコ釘角度測定ゲージであって、更に、該分度盤Ｂの下部中心位置に設けたピンを支点として指針アームＤを回動自在に設け、該指針アームＤは一方が分度盤の度数目盛を示す指針ａとアームｂとが連設された構成であり、しかも支持脚Ｃと指針アームＤのアームｂの長さがパチンコ釘の高さより長いことを特徴とするパチンコ釘角度測定ゲージ。
【請求項２】
支持脚Ｃが基板Ａに沿ってスライド可能であることを特徴とする請求項１記載のパチンコ釘角度測定ゲージ。
【請求項３】
分度盤Ｃは、該円形周面上に90°を中心にして目盛が刻まれていることを特徴とする請求項１又は２記載のパチンコ釘角度測定ゲージ。
【請求項４】
指針アームＤは支点ピンｃを介して回動が規制可能であることを特徴とする請求項１〜３のいずれかに記載のパチンコ釘角度測定ゲージ。
【請求項５】
指針アームＤに釘頭を係止するフックｄを設けることを特徴とする請求項１〜４のいずれかに記載のパチンコ釘角度測定ゲージ。
【請求項６】
指針アームＤに釘頭回避のための凹部ｅを設けることを特徴とする請求項１〜５のいずれかに記載のパチンコ釘角度測定ゲージ。
【発明の詳細な説明】
【０００１】
【発明の属する技術分野】
本発明は、パチンコ盤面上に打ち込まれた釘の角度を測定、調整するためのパチンコ釘角度測定ゲージに関するものである。
【０００２】
【従来の技術】
パチンコ盤面に打ち込まれた釘は、メーカーから出荷された時点では、バラバラで調整しなければならなかったが、従来は釘師と呼ばれる人間が目と勘を頼りになされていた。
しかし、この勘を養うのには、何年もの歳月と努力を要し、それでも正確に釘を修正することは大変難しかった。
さらにこの釘が正確に修正されないと、玉が入賞口へ良く入る台と悪い台とのバラつきができ、かつ同じ台でも上手な人には良く入賞させられるが、下手な  人では入賞させにくいという、バラつきも出来てしまう。この様なことで、店の出玉管理を大変難しくさせていた。
又、せっかく高価な台を入れても、その台の性能を十分に発揮させることが出来ずに終わらせてしまうことが多かった。
【０００３】
そこで、過去に様々な一般的にパチンコ釘角度測定器などと呼ばれるものがあったが、実際の使用に際しては、使いずらいと言わざるを得なかった。
なぜなら、パチンコ盤面上に打ち込まれた釘は、一般的には半径１７〜１８ｃｍ位の円周の中に約２００本近く打ち込まれ、尚かつ、大小様々な役物、チューリップなどと呼ばれる釘の計測上では障害物となる物が多いからである。
その中で、実際にパチンコ盤面上に角度測定器と呼ばれるものをあて、計測すればパチンコ盤面との当接面自体、物理的にある程度の面積あるいは大きさが必要になる。
ところが、先のように狭い所へは、その当接面が入り込めないのである。従って、一部の釘は計測可能であっても、大部分の釘の計測は不可能を言わざるを得ない。
【０００４】
先行技術について見ると、以下の技術が見られる。
例えば、特開平１０−３００４０４号公報は、パチンコ台釘角度測定器である。この技術においては直線辺４の長さが問題となる。
また、特開平９−１８２８３２号公報は、パチンコ台釘角度測定装置である。この技術においては台座７の大きさが問題となる。
特開平９−９４３２６号公報には、パチンコ機の釘角度測定冶具である。遊戯盤側当接面７及び脚部６の大きさが、遊戯盤側当接面３２、４４、５４の大きさが問題になる。遊戯盤側当接面６４、及び台座６２の底部の大きさが問題となる。
【０００５】
【発明が解決しようとする課題】
本発明は、これら従来技術の欠点を除いて、パチンコ機に打ち込まれた釘を可能な限り、くまなく誰にでも簡単に測定、修正ができ、パチンコ機の本来の性能を十分発揮されるパチンコ釘角度測定ゲージを開発しようとするものである。
【０００６】
【課題を解決するための手段】
上記目的を達成するために、（ｉ）長方形の基板２と、該基板２の片側端部に該基板２と同一平面上に連設した円周に沿って度数目盛を表示した半円状分度盤３と、該基板２の他端部に該分度盤３と反対方向に直角に連設した支持脚４とから構成されるパチンコ釘角度測定ゲージ１であること、該分度盤３の下部中心位置に設けたピン６を支点として指針アーム７を回動自在に設け、該指針アーム７は一方が分度盤３の度数目盛５を示す指針８とアーム９とが連設された構成であり、しかも支持脚４と指針アーム７のアーム９の長さがパチンコ釘１１の高さより長い構成にすることにより、本発明を完成するに至った。
更に、下記の構成にも特徴を有する。
（ｉｉ）支持脚４が基板２に沿ってスライド可能であるとすること（図４）。  （ｉｉｉ）分度盤３は、該円形周面上に90°を中心にして目盛が刻まれていること。
（ｉｖ）指針アーム７は支点ピン６を介して回動が規制可能であること。
（ｖ）指針アーム７に釘頭を係止するフック１６を設けること（図７）。
（ｖｉ）指針アーム７に釘頭回避のための凹部１７を設けること（図８）。
【０００７】
【発明の実施の形態】
本発明は、以上のような構造であるから、発明の実施の形態を図面に基づいて説明する。
図１は、支持脚４が基板２と連設され固定された場合の実施例を示すパチンコ釘角度測定ゲージを示す斜視図である。
図２は、パチンコ盤面１０に本発明のゲージのパチンコ盤面側当接面１２をパチンコ盤面１０に垂直に当接させ、さらに釘１１とゲージのアーム９を接合させると分度盤３が度数目盛５の度数を示す。図では釘１１の角度は９０度である。  図３は、釘１１の水平方向の角度を計測する例である。本例と図２の実施例を行うことにより、釘１１の３６０度方向の計測が可能となっている。
【０００８】
図４は、支持脚４がスライド体と一体となり、支持脚４が基板２にスライド可能とされた場合の実施例を示すパチンコ釘角度測定ゲージを示す斜視図である。  図５は、図４のゲージを用いた、釘１１の垂直方向の角度を計測する例である。
パチンコ盤面１０にゲージの当接面１２、１２’を当接させ、かつ釘１１を沿わせる。この時、指針９が度数目盛５の度数を計測する。ちなみに、実施例では９０度である。
また、パチンコ盤面１０上に役物等の障害物があっても、スライド体１３をスライドすることによって回避し、計測が可能となっている。
【０００９】
図６は、図５を水平方向に用いた例であり、釘１１の左右の角度の計測が可能となる。ここでも、本例と図５の実施例を行うことにより、釘１１の３６０度方向の計測が可能となる。
図示していないが、分度盤３と指針８をラッチ状にして仮固定ができるようにすると便利である。
支点ピン６にねじ等を付け、固定できるようにすると、釘１１を希望する角度に調節したい場合に便利である。
【００１０】
図７は、アーム９と分度盤３に、スプリング１５を設け（ゴム等でも良い）、例えば６０度方向に張力が働くようにしておき、さらにアーム９の先端方向にフック１６を設ける。
この様にしておくと、釘１１の計測の際、パチンコ盤面１０にゲージの当接面１２、１２’を当接し、フック１６を釘１１に引っかけて、釘１１とアーム９とを沿わせると、ゲージの基板２を押し上げれば片手で計測が可能となる。
この場合、スプリング１５等の他に、支点ピン６を中心に支持脚４と指針８の重量バランスを崩しても、同様の結果を得ることが出来る。
また、アーム９に設けるフック１６は、上下どちらに設けても同様の結果が得られる。また、図４のスライド式ゲージに組み合わせることも可能である。
【００１１】
図８は、パチンコ盤面１０にゲージの当接面１２、１２’を当接させ、アーム９に凹部１７を設けて、釘１１を直接ゲージの支持脚４に沿わせる方法である。  この場合、凹部１７をアーム９の他、支持脚４の内側面、外側面のどちらに設けることも可能である。
図４において、基板２の側部とスライド体１３の間をラッチ状にして仮固定する。また、ゴム等を使用して伸縮に抵抗を用いることによって、仮固定させると使用勝手がよくなる。
【００１２】
【発明の効果】
本発明は、以上説明したように構成されているので、以下に記載されるような効果を奏する。
（ｉ）パチンコ盤面１０に当接される支持脚４、アーム９は、構造的に本体を支える脚部的な意味合いが強いので、必要とする面積を極端に縮小させる事が可能である。
パチンコ盤面１０のように、たくさんの釘、又連続した釘の並び、役物等の複雑な狭い場所へも十分に対応可能な構造となっている。
（ｉｉ）シンプルでありながら、釘の深い角度まで測定可能で、構造的に見ても精度の高い測定結果を未経験者にも、簡単に提供できる。
（ｉｉｉ）垂直方向、水平方向２度測定することにより、釘の３６０度方向すべてを正確に測定することが可能である。
（ｉｖ）現状の釘の角度測定も提供でき、かつゲージ本体の支持脚４、アーム９を固定することにより、釘を希望する角度に調整させる効果も可能となる。
（ｖ）測定値を一地点として計測するのではなく、支持脚４、アーム９間を間隔を開けて二点間で計測するので、例えばパチンコ盤面に歪みがあった場合などでも、より平均的な誤差の少ない計測が可能である。
（ｖｉ）パチンコ盤面、及び釘に接合するだけで簡単に釘角度が測定できる。
【００１３】
【図面の簡単な説明】
【図１】支持脚４が基板２と連設され固定された場合の実施例を示すパチンコ釘角度測定ゲージを示す斜視図である。
【図２】図１のパチンコ釘角度測定ゲージを用いて釘の垂直方向の釘角度測定を行う状態を示す正面図である。
【図３】図１のパチンコ釘角度測定ゲージを用いて釘の水平方向の釘角度測定を行う状態を示す正面図である。
【図４】支持脚４が基板２にスライド可能とされた場合の実施例を示す本発明のパチンコ釘角度測定ゲージを示す斜視図である。
【図５】図４のゲージを用いて釘の垂直方向の角度測定を行う状態を示す正面図である。
【図６】図５を水平方向に用いた例であり、釘１１の左右の角度の計測が可能となる状態を示す正面図である。
【図７】図１のパチンコ釘角度測定ゲージの指針アーム７に角度規制スプリング１５とフック１６を設けた模式図である。
【図８】図１のパチンコ釘角度測定ゲージの指針アーム７のアーム９に凹部１７を設けた模式図である。
【符号の説明】
１  パチンコ釘角度測定ゲージ
２  基板
３  分度盤
４  支持脚
５  度数目盛
６  ピン
７  指針アーム
８  指針
９  アーム
１０  パチンコ盤面
１１  釘
１２、１２’当接面
１３  スライド体
１４  役物
１５  角度規制スプリング
１６  フック
１７  凹部
【図１】
0003748359.tif 000002
【図２】
0003748359.tif 000003
【図３】
0003748359.tif 000004
【図４】
0003748359.tif 000005
【図５】
0003748359.tif 000006
【図６】
0003748359.tif 000007
【図７】
0003748359.tif 000008
【図８】
0003748359.tif 000009